(57)【特許請求の範囲】
【請求項１】
パチンコ球を貯溜するパチンコ機の球皿において、
パチンコ球が落下供給される球皿上流側部分の側壁部又はその付近に、該球皿内のパチンコ球の流れ方向に向かって下り傾斜する傾斜面部が設けられており、
前記傾斜面部の裏面には、パチンコ球衝突時の弾きを抑えるように補強リブが一体成形されていることを特徴とするパチンコ機の球皿。
【発明の詳細な説明】
【０００１】
【発明の属する技術分野】
本発明は、上方から落下供給されるパチンコ球を受け溜めるパチンコ機の球皿に関するものである。
【０００２】
【従来の技術】
一般に、パチンコホールでは、島の各パチンコ機間に設置された台間球貸機からパチンコ球（貸球）を補給する場合、台間球貸機の貸球排出ノズルの出口をパチンコ機の球皿の真上に位置させて、貸球排出ノズルから落下するパチンコ球を球皿内に受け溜めるようにしている。
【０００３】
【発明が解決しようとする課題】
ところで、パチンコ機の機種によっては球皿の高さ位置が異なる場合があるため、島のパチンコ機を新機種に入れ替えた時等に、台間球貸機の貸球排出ノズルの出口から球皿までの落差が大きくなる場合がある。このような場合、貸球排出ノズルから流れ出るパチンコ球が球皿の底面に落下すると、そのパチンコ球が球皿の底面で高く跳ね返されるため、球皿の側壁付近で跳ね上がったパチンコ球が球皿の側壁を跳び越えて球皿の外に飛び出してしまう可能性がある。
【０００４】
本発明はこのような事情を考慮してなされたものであり、従ってその目的は、球皿内に落下供給されるパチンコ球の跳ね上がりによる飛び出しを防止できて、パチンコ球を確実に球皿内に受け入れることができるようにすることである。
【０００５】
【課題を解決するための手段】
上記目的を達成するために、本発明の請求項１は、パチンコ球が落下供給される球皿上流側部分の側壁部又はその付近に、該球皿内のパチンコ球の流れ方向に向かって下り傾斜する傾斜面部を設け、該傾斜面部の裏面には、パチンコ球衝突時の弾きを抑えるように補強リブを一体成形したものである。この構成では、球皿内に上方から落下供給されるパチンコ球が球皿上流側部分の側壁部付近に落下しても、そのパチンコ球が、該側壁部又はその付近に設けられた傾斜面部に当って、球皿内のパチンコ球の流れ方向に向かって低く跳ね返されるようになる。これにより、球皿の側壁部付近に落下供給されたパチンコ球が、球皿の側壁部付近で高く跳ね返されて球皿の外に飛び出してしまうことを未然に防止することができる。
【０００６】
しかも、本発明では、球皿上流側部分の側壁部又はその付近に設ける傾斜面部の裏面には、パチンコ球衝突時の弾きを抑えるように補強リブが一体成形されているため、球皿内に落下供給されるパチンコ球が傾斜面部に衝突した際のパチンコ球の跳ね上がりを小さくすることができて、パチンコ球の飛び出し防止効果を高めることができる。
【０００９】
【発明の実施の形態】
以下、本発明を球皿が１皿のみ設けられたパチンコ機に適用した一実施形態を図面に基づいて説明する。
【００１０】
まず、図３に基づいてパチンコ機の前面側の構成を概略的に説明する。パチンコ機の本体枠１１には、遊技盤１２が取り付けられ、この遊技盤１２に、センター役物、入賞口、入賞装置等（図示せず）が設けられている。遊技盤１２の前面側には、ガラス枠１３が設けられ、このガラス枠１３に、ガラスが遊技盤１２に対して所定の間隔を隔てて取り付けられている。
【００１１】
一方、本体枠１１の前面側下部には、前面パネル１５が設けられ、この前面パネル１５に、パチンコ球を貯溜する大容量の球皿１６が１皿のみ設けられている。これにより、球皿１６の取付位置を従来よりも低くして、球皿１６上方の遊技盤１２の面積を拡大できるようにしている。この球皿１６の右側下方部に、球発射装置（図示せず）の発射操作ハンドル１７が設けられている。また、パチンコ機の左側に配置された台間球貸機１８の貸球排出ノズル１９の出口が、球皿１６の左隅上方に位置している。
【００１２】
次に、図１及び図２に基づいて球皿１６の構成について説明する。
図２に示すように、プラスチック製の球皿本体ケース２０の右側部に、パチンコ球を貯溜する球貯溜部２１が設けられ、球皿本体ケース２０の左側部に、台間球貸機１８の貸球排出ノズル１９から流れ出るパチンコ球（貸球）を受ける球受け部２２が設けられている。
【００１３】
球貯溜部２１の右側部後方には、球流入口２３が設けられ、球払出装置（図示せず）から払い出されたパチンコ球（賞球）は、球流入口２３を通って球貯溜部２１に流入する。球貯溜部２１は、底面２４が左方に向かって緩やかに下り傾斜するように形成されていると共に、左側部分の流路幅が下流に向かうにつれて狭められている。この球貯溜部２１の最下流部に、パチンコ球を１列に整列させながら流下させる案内流路２５（図１参照）が接続され、この案内流路２５を流下したパチンコ球が、整流器等を介して球発射装置（図示せず）に供給される。
【００１４】
また、球貯溜部２１の底面２４の中央部には、球抜き口２７が形成され、この球抜き口２７に球抜き部材２８が設けられている。そして、球皿本体ケース２０の前面に設けられた球抜き操作レバー（図示せず）を操作して、球抜き口２７を開放することで、球貯溜部２１内のパチンコ球を球抜き口２７から下方に抜き取ることができるようになっている。
【００１５】
一方、球受け部２２は、図１に示すように、球皿１６の最上流部に位置して、底面２９が右側斜め前方に向かって緩やかに下り傾斜するように形成され、上流部の底面２９ａの傾斜角度が、下流部の底面２９ｂの傾斜角度よりも少しだけ急な傾斜角度となっている。更に、球受け部２２の最上流側の側壁部（球皿１６の上流側部分の側壁部に相当）には、傾斜面部３１が底面２９よりも急な傾斜角度で球受け部２２の下流方向（図２に矢印で示すパチンコ球の流れ方向）に向かって下り傾斜するように設けられている。これにより、球受け部２２の最上流側の側壁部付近に落下供給されるパチンコ球が、傾斜面部３１に当って球受け部２２の下流方向に跳ね返されるようになっている。
【００１６】
この傾斜面部３１の傾斜角度は、例えば鉛直方向に対して約３０〜６０°、より好ましくは４０〜５０°に設定することが好ましい。これにより、鉛直下向きに落下してくるパチンコ球の衝突面積をある程度確保しながら、そのパチンコ球の跳ね返り方向を適度に低くすることができる。
【００１７】
図２に示すように、傾斜面部３１は、球皿１６の前面側に向かうにつれて徐々に小さくなるように形成されている。また、球受け部２２は、傾斜面部３１と上流部底面２９ａの裏面に、補強リブ３２が格子状に一体成形され、この補強リブ３２によって球受け部２２の傾斜面部３１と上流部底面２９ａのパチンコ球衝突時の弾きを抑えるように補強されている。
【００１８】
また、球受け部２２の下流側には、右方に向かって下り傾斜する貸球流下路３０が形成されている。この貸球流下路３０は、球皿本体ケース２０の前面壁に沿って右方に延びるように形成されて、球貯溜部２１につながっている。
【００１９】
以上のように構成した球皿１６では、台間球貸機１８の貸球排出ノズル１９からパチンコ球（貸球）が排出されると、その貸球は、球皿本体ケース２０の左側の球受け部２２で受けられた後、球受け部２２から貸球導入路３０を流下して、球皿本体ケース２０の右側の球貯溜部２１に流入し、そこから球貯溜部２１の底面２４の下り傾斜によって順次、案内流路２５に向かって流下していく。
【００２０】
ところで、本実施形態では、従来の上下の２つの球皿の代わりに、大容量化した球皿１６を１皿のみ設けることで、球皿１６の取付位置を従来よりも低くして、球皿１６上方の遊技盤１２の面積を拡大できるようにしているが、球皿１６の取付位置を低くすると、その分、貸球排出ノズル１９の出口から球皿１６までの落差が大きくなるため、球皿１６の球受け部２２の上流側の側壁部付近に落下したパチンコ球が、従来と同じように、直接、底面２９に衝突する構成にすると、パチンコ球が高く跳ね上がって球皿１６の外に飛び出し易くなる。
【００２１】
その点、本実施形態では、球受け部２２の上流側の側壁部に、傾斜面部３１を形成したので、貸球排出ノズル１９から排出されたパチンコ球が、球受け部２２の上流側の側壁部付近に落下しても、そのパチンコ球が、傾斜面部３１に当って球受け部２２の下流方向に低く跳ね返されるようになる。これにより、球受け部２２の側壁部付近に落下供給されたパチンコ球が、球受け部２２の側壁部付近で高く跳ね返されて球皿１６の外に飛び出してしまうことを未然に防止することができ、貸球排出ノズル１９から排出されるパチンコ球（貸球）を球皿１６内に確実に受け入れることができる。
【００２２】
しかも、本実施形態では、球受け部２２の傾斜面部３１と上流部底面２９ａの裏面に、補強リブ３２を形成して傾斜面部３１と上流部底面２９ａのパチンコ球衝突時の弾きを抑えるように補強しているので、落下供給されるパチンコ球が球受け部２２の傾斜面部３１や上流部底面２９ａに衝突した際のパチンコ球の跳ね上がりを小さくすることができ、パチンコ球の飛び出し防止効果を高めることができる。
【００２３】
尚、上記実施形態では、球受け部２２の傾斜面部３１と上流部底面２９ａに補強リブ３２を形成して補強したが、補強範囲は、傾斜面部３１と上流部底面２９ａに限定されず、傾斜面部３１だけを補強したり、或は、球受け部２２全体を補強するようにしても良い。
【００２５】
また、上記実施形態では、球受け部２２の上流側の側壁部のみに傾斜面部３１を設けた構成としたが、球受け部２２の前面側の側壁部にも傾斜面部を設けた構成としても良い。このようにすれば、貸球排出ノズル１９から排出されたパチンコ球が、球受け部２２の前面側の側壁部付近に落下しても、そのパチンコ球が、前面側の側壁部を越えて跳ね上がって外に飛び出してしまうことを防止することができる。
【００２６】
或は、球受け部２２の側壁部付近の底面を部分的に隆起させて傾斜面部を形成しても良い。
また、上記実施形態では、本発明を球皿を１皿のみ設けたパチンコ機に適用したが、従来の２皿構成のパチンコ機の上皿に本発明を適用しても良い。
【００２７】
また、本発明の球皿は、台間球貸機から貸球が供給されるパチンコ機（現金機）の球皿以外に、パチンコ機内部の球払出装置から貸球が供給されるパチンコ機（ＣＲ機）の球皿として使用しても良く、このようにすれば、現金機とＣＲ機との間で球皿を共通化して、低コスト化することができる。
その他、本発明は、球受け部、傾斜面部、球貯溜部の形状を適宜変更しても良い等、要旨を逸脱しない範囲で種々変更して実施できる。
【００２８】
【発明の効果】
以上の説明から明らかなように、本発明の請求項１のパチンコ機の球皿によれば、パチンコ球が落下供給される球皿上流側部分の側壁部又はその付近に、該球皿内のパチンコ球の流れ方向に向かって下り傾斜する傾斜面部を設けたので、球皿上流側部分の側壁部付近に落下供給されるパチンコ球を傾斜面部で球皿内のパチンコ球の流れ方向に向かって低く跳ね返すことができ、球皿内に落下供給されるパチンコ球の跳ね上がりによる飛び出しを防止できて、パチンコ球を球皿内に確実に受け入れることができる。
【００２９】
更に、本発明では、球皿上流側部分の側壁部又はその付近に設ける傾斜面部の裏面に、パチンコ球衝突時の弾きを抑えるように補強リブを一体成形したので、パチンコ球の跳ね返りを小さくすることができ、パチンコ球の飛び出し防止効果を高めることができる。
【図面の簡単な説明】
【図１】本発明の一実施形態を示す球皿の縦断面図
【図２】球皿の平面図
【図３】パチンコ機の正面図
【符号の説明】
１１…本体枠、１２…遊技盤、１６…球皿、１８…台間球貸機、１９…貸球排出ノズル、２０…球皿本体ケース、２１…球貯溜部、２２…球受け部、２５…案内流路、３０…貸球流下路、３１…傾斜面部、３２…補強リブ。
【図１】
0004466900.tif 000002
【図２】
0004466900.tif 000003
【図３】
0004466900.tif 000004